(57)【特許請求の範囲】
【請求項１】
ＩＳＤＮ加入者線のＵ点インタフェースに接続され、Ｓ／Ｔ点インタフェースに変換するディジタル回線接続ユニット（ＤＳＵ）部と、
宅内のＤＳＵ装置にＵ点インタフェースを提供する局内回線終端ユニット（ＯＣＵ）部と、
前記ＤＳＵ部と前記ＯＣＵ部間のＢチャネル情報の速度、フレームフォーマットを変換するインタフェース変換ユニット（ＣＯＮＶ）部と、
外部の情報機器をＲ点インタフェースで接続するアダプタユニット（ＴＡ）部と、
前記ＤＳＵ部、前記ＯＣＵ部、及び前記ＴＡ部のＤチャネル信号を処理するＣＰＵ部とから構成され、前記ＩＳＤＮ加入者線のＵ点インタフェースと前記ＯＣＵ部が提供するＵ点インタフェースとの間にＳ／Ｔ点インタフェース、Ｒ点インタフェースを設け、前記宅内のＤＳＵ装置からのＤチャネル信号を前記ＯＣＵ部で一旦終端し、前記宅内のＤＳＵ装置から前記ＯＣＵ部が受信したＤチャネル信号および前記外部の情報機器から前記ＴＡ部が受信したＤチャネル信号のいずれかを前記ＣＰＵ部が選択して前記ＤＳＵ部に送出し、該Ｄチャネル信号とＳ／Ｔ点インタフェースからのＤチャネル信号とをＤＳＵ部でＤエコーチャネルビットとしてＳ／Ｔ点インタフェースに返送することを特徴とするＩＳＤＮ通信制御装置。
【請求項２】
ＩＳＤＮ網からＤＳＵ部が受信したＤチャネル信号をＯＣＵ部のＵ点インタフェースに送出することを特徴とする請求項１記載のＩＳＤＮ通信制御装置。
【発明の詳細な説明】
【０００１】
【発明の属する技術分野】
本発明は、高速ディジタル公衆網であるＩＳＤＮ（Ｉｎｔｅｇｒａｔｅｄ  Ｓｅｒｖｉｃｅｓ  Ｄｉｇｉｔａｌ  Ｎｅｔｗｏｒｋ）を利用する通信システムにおいて、加入者線に挿入して、主たる目的である通信システム以外の情報通信  （セキュリティ通信、遠隔検針通信など）の利用を容易にし、社会基盤の有効活用を図って、情報社会の発展に寄与するＩＳＤＮ通信制御装置に関するものである。
【０００２】
【従来の技術】
従来のＩＳＤＮ通信システムでは、ＩＳＤＮ交換機にＩＳＤＮ加入者線が接続され、このＩＳＤＮ加入者線のＵ点に接続されたディジタル回線接続ユニット（ＤＳＵ）のＳ／Ｔ点にＩＳＤＮ通信機器が接続されていた。
【０００３】
このＳ／Ｔ点には、最大８台の通信機器が接続できるが、通信チャネル数は８に満たないため、これらの機器の発信の衝突を防ぐ必要がある。そのために、既存ＤＳＵ装置配下のＳ／Ｔ点インタフェース内でＤエコーチャネルビットを監視することによって衝突がないものとして発信する手段がとられる。すなわち、ＩＳＤＮのＤチャネルに情報を送出している間、ＩＳＤＮ通信機器は受信したＤエコーチャネルを監視し、最後に送ったＤチャネルビットと次に有効なＤエコーチャネルビットを比較する。送信したＤチャネルビットと受信したＤエコーチャネルビットが等しいならばＩＳＤＮ通信機器は送信を持続する。一方、受信したＤエコーチャネルビットが送信したＤチャネルビットと異なるとき、ＩＳＤＮ通信機器はすぐに送信を停止し、Ｄチャネル監視の状態に戻る。
【０００４】
【発明が解決しようとする課題】
しかしながら、従来のＩＳＤＮ通信システムでは、ＩＳＤＮ交換機に接続されたＩＳＤＮ加入者線にＵ点インタフェースで接続された装置として、Ｓ／Ｔ点インタフェースあるいはＲ点インタフェースとともに、Ｕ点インタフェースを提供するＩＳＤＮ通信制御装置はなく、また、このＩＳＤＮ通信制御装置が設置されるネットワーク内の位置で、各種インタフェースからの通信要求に対して衝突防止を図る制御方法は考えられていなかった。
【０００５】
ＩＳＤＮ通信システムにおいて、通話やデータ通信などの主たる通信目的以外に、簡易な情報通信（セキュリティ通信、遠隔検針通信など）を行おうとする場合、ＩＳＤＮ加入者線に接続されたＤＳＵ装置のＳ／Ｔ点にアダプタ装置を配置し、このアダプタ装置に情報を挿入せざるを得なかった。この場合、Ｓ／Ｔ点インタフェースを提供するＤＳＵ装置の設置場所が戸口であったり、書斎であったりまちまちであること、Ｓ／Ｔ点インタフェースが利用できないＤＳＵ装置組込みのターミナルアダプタが使用されていることがあること、など既存システムへの追加は困難であった。
【０００６】
このため、既存ＤＳＵ装置と局ＩＳＤＮ交換機との間のＩＳＤＮ加入者線にＩＳＤＮ通信制御装置を挿入して、この問題を解決しようとすることが考えられているが、このＩＳＤＮ通信制御装置において、既存ＤＳＵ装置からＵ点インタフェースとして通知される呼とＲ点、Ｓ／Ｔ点インタフェースを持った従来にない通信経路にある情報機器等からの呼との衝突防止が重要な課題となる。
【０００７】
【課題を解決するための手段】
本発明では、既存のＤＳＵ装置からのＤチャネル信号を一旦終端し、他の情報機器からのＤチャネル信号の監視結果から判断し、接続すべきチャネルからのＤチャネル信号を本ＩＳＤＮ通信制御装置内のＤＳＵ部に転送する。このＤＳＵ部では、この選択／許可されたチャネルからのＤチャネル信号とＤＳＵ部のＳ／Ｔ点からのＤチャネル信号を、このＤＳＵ部からエコービットとして返送し、これをチェックすることによって、各通信経路からの通信の衝突を防止する。
【０００８】
このようにすることで、ＩＳＤＮ加入者線内に設置したＩＳＤＮ通信制御装置で混乱を引き起こすことなく、新たな情報チャネルを付加することができる。このため、主たる目的である通信システム以外の簡易な情報通信（セキュリティ通信、遠隔検針通信など）の利用を容易で確実なものにすることができる。
【０００９】
また、このような手段を実現することは、ノーリンギング通信やオフトーク通信などの通信サービスを提供できるＰＳＴＮ（Ｐｕｂｌｉｃ  ＳｗｉｔｃｈｅｄＴｅｌｅｐｈｏｎｅ  Ｎｅｔｗｏｒｋ）から、ＩＳＤＮに社会基盤を転換することへの不安を解消する１つのアプローチでもある。
【００１０】
【発明の実施の形態】
以下図面を参照して本発明の実施の形態例を詳細に説明する。
【００１１】
図１は、本発明の一実施形態例を実現するＩＳＤＮ通信制御システム全体の機能ブロック図である。図において、１１はＩＳＤＮ交換機、１２はＩＳＤＮ加入者線、１３はＩＳＤＮ通信制御装置、１３ａはディジタル回線接続ユニット（ＤＳＵ）部、１３ｂはインタフェース変換ユニット（ＣＯＮＶ）部、１３ｃは局内回線終端ユニット（ＯＣＵ）部、１３ｄはＣＰＵ部、１３ｅはアダプタユニット（ＴＡ）部、１４はＩＳＤＮ通信機器、１５はＩＳＤＮ通信機器、１６はＤＳＵ装置、１７は情報機器である。
【００１２】
前記ＩＳＤＮ通信制御装置１３はＤＳＵ部１３ａ、ＣＯＮＶ部１３ｂ、ＯＣＵ部１３ｃ、ＣＰＵ部１３ｄ、及びＴＡ部１３ｅより構成され、前記ディジタル回線接続ユニット（ＤＳＵ）部１３ａは、ＩＳＤＮ加入者線１２のＵ点に接続され、Ｕ点インタフェースとＳ／Ｔ点インタフェースを変換し、ＩＳＤＮ通信機器１４にＳ／Ｔ点インタフェースを提供する。前記局内回線終端ユニット（ＯＣＵ）部１３ｃは、宅内のＤＳＵ装置１６にＵ点インタフェースを提供する。前記インタフェース変換ユニット（ＣＯＮＶ）部１３ｂは前記ＤＳＵ部１３ａと前記ＯＣＵ部１３ｃ間のＢチャネル情報の速度、フレームフォーマットを変換する。前記アダプタユニット（ＴＡ）部１３ｅは外部の情報機器１７にＲ点インタフェースを提供する。前記ＣＰＵ部１３ｄは前記ＤＳＵ部１３ａ、前記ＯＣＵ部１３ｃ、及び前記ＴＡ部１３ｅのＤチャネル信号を処理する。
【００１３】
前記ＤＳＵ部１３ａのＳ／Ｔ点インタフェースには、通常のＩＳＤＮ通信機器１４を接続して通信を行う。ＯＣＵ部１３ｃのＵ点インタフェースには、通常のＤＳＵ装置１６を接続して、このＤＳＵ装置１６に接続されたＩＳＤＮ通信機器１５が通信を行う。また、ＴＡ部１３ｅのＲ点インタフェースには、既存の、あるいは独自の情報機器１７が接続され、このＴＡ部１３ｅで速度／プロトコルなどの変換が行われて、通信を行うことになる。
【００１４】
このようにＤＳＵ部１３ａとＯＣＵ部１３ｃを同一ユニット内に納め、Ｕ点インタフェース内に配置できる構成とし、このユニットにＳ／Ｔ点インタフェースやＲ点インタフェースを設けることで所期の目的を達することができた。
【００１５】
図２は、本発明の一実施例における着呼時のＢチャネル情報、Ｄチャネル信号の流れを示す方式説明図である。
【００１６】
ＩＳＤＮ通信制御装置１３に着呼があると、ＩＳＤＮ通信制御装置１３のＤＳＵ部１３ａは、ＩＳＤＮ網からＩＳＤＮ交換機１１を介して受信したＤチャネル信号を、Ｓ／Ｔ点インタフェースに送出するだけでなく、ＯＣＵ部１３ｃのＵ点インターフェース、ＴＡ部１３ｅのＲ点インタフェースに一斉に送出する。具体的には、図２に示すように、ＩＳＤＮ交換機１１からの着信を通知するＤチャネル信号は、細線の矢印２００に示すように、ＤＳＵ部１３ａから３個所に一斉に通知される。１つは本来のＤＳＵ機能としてＳ／Ｔ点を経由してＩＳＤＮ通信機器１４に通知される。他の１つはＤＳＵ部１３ａからＴＡ部１３ｅを経由して外部の情報機器１７に通知される。さらに他の１つはＤＳＵ部１３ａからＯＣＵ部１３ｃを経由して宅内ＤＳＵ装置１６を介したＩＳＤＮ通信機器１５に通知される。これら各経路の選定は、サブアドレスなどによる識別選択か、先に応答した機器選択などによる機器が接続されることになる。
【００１７】
この方式では、通信チャネルが設定された後に、太い線の矢印で示すＢチャネル情報の経路１００ｓ，１００ｕ，１００ｒを経由して通信される。すなわち、ＩＳＤＮ通信機器１４のＢチャネル情報は、経路１００ｓに示すように、Ｓ／Ｔ点インタフェースを介しＤＳＵ部１３ａを経由して通信される。ＩＳＤＮ通信機器１５のＢチャネル情報は、経路１００ｕに示すように、ＤＳＵ装置１６のＵ点インタフェースを介して、ＣＯＮＶ部１３ｂで変換されながら、ＯＣＵ部１３ｃとＤＳＵ部１３ａを経由して通信される。情報機器１７のＢチャネル情報は、Ｒ点インタフェースを介して、ＴＡ部１３ｅとＤＳＵ部１３ａを経由して通信される。これらのＢチャネル情報通信の選択は、上記Ｄチャネル信号による接続選択の結果に依っている。
【００１８】
図３は、本発明の一実施例における発呼時のＢチャネル情報、Ｄチャネル信号の流れを示す方式説明図である。
【００１９】
ＩＳＤＮ通信機器１４，１５、情報機器１７などからの発信時には、細線の矢印３００ｓ，３００ｕ，３００ｒに示すように、３つの経路からＤチャネル信号による発信要求が送出され、これらの衝突を回避しなければならない。
【００２０】
情報機器１７からの発信要求はＴＡ部１３ｅを介してＣＰＵ部１３ｄに伝えられる。一方、外部のＤＳＵ装置１６に接続されたＩＳＤＮ通信機器１５からの発信要求は、ＯＣＵ部１３ｃを介してＣＰＵ部１３ｄに伝えられる。この両者からの発信要求はＣＰＵ部１３ｄで終端され、この発信要求が衝突すると、ＣＰＵ部１３ｄは、情報機器１７からの発信要求とＩＳＤＮ通信機器１５からの発信要求のいずれかを選択して、いずれか一方のＤチャネル信号をＤＳＵ部１３ａに送出する。
【００２１】
ＩＳＤＮ通信機器１４からのＤチャネル信号は、ＩＳＤＮ通信制御装置１３のＤＳＵ部１３ａに直接伝えられる。
【００２２】
従って、ＩＳＤＮ通信制御装置１３のＤＳＵ部１３ａは、ＣＰＵ部１３ｄで選択／許可されたチャネルからのＤチャネル信号と、ＩＳＤＮ通信機器１４からＳ／Ｔ点インタフェースを介して受信したＤチャネル信号とをＤエコーチャネルビットとして送り返すことによって、ＣＰＵ部１３ｄあるいはＩＳＤＮ通信機器１４のいずれかが発信を停止し、通信の衝突を回避する。
【００２３】
なお、ＣＰＵ部１３ｄで選択／許可されなかった情報機器１７あるいはＩＳＤＮ通信機器１５に対しては、ＣＰＵ部１３ｄがＤエコーチャネルビットを監視し、再度発信要求を送出して処理することとなる。
【００２４】
通信チャネルが設定された後に、Ｂチャネル情報が太線の矢印で示す経路１００ｓ，１００ｕ，１００ｒの経路で通信されることは、図２の場合と同様であり、これらのＢチャネル情報通信の選択は、上記Ｄチャネル信号による接続選択の結果に依っている。
【００２５】
【発明の効果】
以上述べたように本発明によれば、ＩＳＤＮ加入者回線の中に挿入するＩＳＤＮ通信制御装置で、既存の通信システムに手をつけることなく、特殊用途の情報の送受信ができる。このように設置できるのは、通信の衝突を回避する方式が確立したためである。このことによって、ＰＳＴＮにおいて無鳴動着信の通信方式で従来実現されていながら、ＩＳＤＮでは、できない、あるいは難しいとされていたセキュリティ通信、遠隔検針通信などの、日常のコミュニケーションに重畳させたい情報通信が、ＩＳＤＮでも容易に実現できるようになった効果は大きい。
【図面の簡単な説明】
【図１】本発明の一実施形態例を実現するＩＳＤＮ通信制御システム全体の機能ブロック図である。
【図２】本発明の一実施例におけるＢチャネル情報、Ｄチャネル信号の流れを示す方式説明図である。
【図３】本発明の一実施例におけるＢチャネル情報、Ｄチャネル信号の流れを示す方式説明図である。
【符号の説明】
１１  ＩＳＤＮ交換機
１２  ＩＳＤＮ加入者線
１３  ＩＳＤＮ通信制御装置
１３ａ  ディジタル回線接続ユニット（ＤＳＵ）部
１３ｂ  インタフェース変換ユニット（ＣＯＮＶ）部
１３ｃ  局内回線終端ユニット（ＯＣＵ）部
１３ｄ  ＣＰＵ部
１３ｅ  アダプタユニット（ＴＡ）部
１４  ＩＳＤＮ通信機器
１５  ＩＳＤＮ通信機器
１６  ＤＳＵ装置
１７  情報機器
【図１】
0003891716.tif 000002
【図２】
0003891716.tif 000003
【図３】
0003891716.tif 000004